(57)【特許請求の範囲】
【請求項１】
それぞれ異なる複数種類の解像度の画像をそれぞれ伝送する複数の通信モードを有したファクシミリ装置において、
前記複数種類の解像度のそれぞれで画像印字を行う機能を有した印字手段と、
この印字手段が画像印字に用いる印字データを１ページ分記憶するためのものであり、前記複数種類の解像度のうちの最高解像度の印字データを１ページ分記憶する容量を有したメモリ手段と、
前記複数の通信モードのうちで所定の禁止指定がなされた通信モードを除く通信モードを使用候補通信モードとする使用通信モード制限手段と、
前記メモリ手段の記憶領域のうち、前記使用通信モード制限手段により決められた使用候補通信モードのそれぞれで伝送される画像の解像度のうちの最高解像度の画像データを１ページ分記憶する容量の記憶領域を印字データ記憶領域に割り当てるとともに、前記メモリ手段の記憶領域のうちの前記印字データ記憶領域以外の記憶領域を前記印字データ以外のデータを記憶するための他データ記憶領域に割り当てるメモリ分割制御手段と、
これまで使用候補通信モードとされていた通信モードよりも高い解像度を対象とした通信モードに対する禁止指定の解除が指示され、その通信モードで伝送される画像の解像度の画像データを１ページ分記憶する容量の記憶領域を印字データ記憶領域に割り当てるべく他データ記憶領域の少なくとも一部を印字データ記憶領域に変更する必要が生じた場合に、印字データ記憶領域に変更すべき他データ記憶領域にデータが記憶されていると、そのデータを当該領域から前記印字データ記憶領域に変更する必要が生じなかった他データ記憶領域に移動させるデータ移動制御手段とを具備し、
前記メモリ分割制御手段は、前記データ移動制御手段によりデータの移動がなされたのちに当該領域を印字データ記憶領域に変更することを特徴とするファクシミリ装置。
【請求項２】
前記印字データ記憶領域に変更すべき他データ記憶領域にデータが記憶されているときに、前記データを移動させる空き領域が他データ記憶領域にあるか否かを判断する判断手段と、
前記判断手段で前記データを移動させる空き領域がないと判断した場合に、そのデータが消失する旨の警告を発する警告手段とを具備するとともに、
前記判断手段で前記データを移動させる空き領域があると判断した場合に、前記データ移動制御手段は前記データを移動し、
前記判断手段で前記データを移動させる空き領域がないと判断した場合に、前記メモリ分割制御手段は、前記警告手段が警告を発したのちに前記禁止指定の解除の確定指示がなされたことに応じて、前記他データ記憶領域の少なくとも一部を前記印字データ記憶領域に変更することを特徴とする請求項１に記載のファクシミリ装置。
【請求項３】
前記禁止指定がなされた通信モードはスーパーファインモードであり、前記禁止指定がなされた通信モードを除く通信モードはセミスーパーファインモード、ファインモード、スタンダードモードであることを特徴とする請求項１又は２に記載のファクシミリ装置。
【請求項４】
前記印字データ記憶領域がページバッファであり、前記他データ記憶領域が画像蓄積メモリであることを特徴とする請求項１から３のいずれか１項に記載のファクシミリ装置。
【発明の詳細な説明】
【０００１】
【発明の属する技術分野】
本発明は、それぞれ異なる複数種類の解像度の画像をそれぞれ伝送する複数の通信モードを有したファクシミリ装置に関する。
【０００２】
【従来の技術】
Ｇ３のファクシミリ装置では、主走査８ドット／ｍｍ、副走査３．８５ライン／ｍｍの解像度（スタンダード）が標準解像度として規定されている。しかしながら、高機能化の要求に応じ、主走査８ドット／ｍｍ、副走査７．７ライン／ｍｍの解像度（ファイン）や、主走査８ドット／ｍｍ、副走査１５．４ライン／ｍｍの解像度（セミスーパーファイン）の画像を伝送する機能を一般的に有している。さらに高級な機種では、主走査１６ドット／ｍｍ、副走査１５．４ライン／ｍｍの解像度（スーパーファイン）の画像を伝送する機能をも有したものが存在する。
【０００３】
しかしながら、これらの各解像度に対応したファクシミリ装置であっても、一般的にはスタンダードやファインが用いられることが多く、高解像度が必要とされる場合でもセミスーパーファインで十分な場合が多い。
【０００４】
ところで通信の際に用いる解像度は送信側により選択されるため、受信側が標準解像度で良くても、送信側が高解像度を選択した場合には、高解像度の通信モードが使用される。しかし、解像度が高くなるほど、通信時間が長くなるから、受信側が必要とする解像度よりも高解像度のモードにて通信を行うことは、受信側の意に反して、回線を必要以上に長い時間に渡って占有してしまうこととなり、好ましくない。そこで、高解像度での通信モード、すなわち例えばスーパーファインモードの使用を任意に禁止することを可能とすることにより、受信側の意思により解像度を制限できるようにすることが考えられる。
【０００５】
一方、ファクシミリ装置において、受信した画像を印字するためにレーザプリンタなどのページプリンタを用いている場合、１ページ分の印字データ（符号化を施していない画像データ）を記憶可能なページバッファが必要となる。そしてこのページバッファの容量は、そのファクシミリ装置が取り扱い可能な最高解像度の画像に関する印字データを記憶可能な容量としている。
【０００６】
【発明が解決しようとする課題】
以上のように高解像度での通信モードの使用を任意に禁止することを可能とし、かつ受信した画像を印字するためにページプリンタを用いているファクシミリ装置の場合、ページバッファには取り扱い可能な最高解像度の画像に関する印字データを記憶可能な容量が確保される。
【０００７】
このため、高解像度での通信モードの使用が禁止されている際には、ページバッファに記憶される印字データのデータ量はページバッファの容量よりも大幅に小さく、ページバッファが有する記憶領域の多くが使用されない。この結果、高解像度での通信モードの使用が禁止されている際にはメモリの使用に無駄が生じるものとなっていた。
【０００８】
本発明はこのような事情を考慮してなされたものであり、その目的とするところは、高解像度での通信モードの使用が禁止されているか否かに拘らずに、常にメモリを効率良く使用することができるファクシミリ装置を提供することにある。
【０００９】
【課題を解決するための手段】
以上の目的を達成するために本発明は、複数種類の解像度のそれぞれで画像印字を行う機能を有した例えばプリンタなどの印字手段と、この印字手段が画像印字に用いる印字データを１ページ分記憶するためのものであり、前記複数種類の解像度のうちの最高解像度の印字データを１ページ分記憶する容量を有した、例えばＲＡＭにおける領域Ａおよび領域Ｂからなるメモリ手段と、前記複数の通信モードのうちで所定の禁止指定がなされた通信モードを除く通信モードを使用候補通信モードとする例えば使用候補モード設定手段などの使用通信モード制限手段と、前記メモリ手段の記憶領域のうち、前記使用通信モード制限手段により決められた使用候補通信モードのそれぞれで伝送される画像の解像度のうちの最高解像度の画像データを１ページ分記憶する容量の記憶領域を印字データ記憶領域に割り当てるとともに、前記メモリ手段の記憶領域のうちの前記印字データ記憶領域以外の記憶領域を前記印字データ以外のデータを記憶するための他データ記憶領域に割り当てるメモリ分割制御手段とを備えた。
【００１０】
このような手段を講じたことにより、メモリ手段は、使用通信モード制限手段により決められた使用候補通信モードのそれぞれで伝送される画像の解像度のうちの最高解像度の画像データを１ページ分記憶する容量の記憶領域が印字データ記憶領域に割り当てられ、前記メモリ手段の記憶領域のうちの前記印字データ記憶領域以外の記憶領域は前記印字データ以外のデータを記憶するための他データ記憶領域に割り当てられる。この結果、メモリ手段の空き領域が有効利用される。
【００１１】
また本発明は、これまで使用候補通信モードとされていた通信モードよりも高い解像度を対象とした通信モードに対する禁止指定の解除が指示され、その通信モードで伝送される画像の解像度の画像データを１ページ分記憶する容量の記憶領域を印字データ記憶領域に割り当てるべく他データ記憶領域の少なくとも一部を印字データ記憶領域に変更する必要が生じた場合に、印字データ記憶領域に変更すべき他データ記憶領域にデータが記憶されているならばそのデータが消失する旨の警告を発する例えばデータ消失警告手段などの警告手段を備えるとともに、メモリ分割制御手段は、前記警告手段が警告を発したのちに前記禁止指定の解除の確定指示がなされたことに応じて、前記他データ記憶領域の少なくとも一部を前記印字データ記憶領域に変更するようにした。
【００１２】
このような手段を講じたことにより、他データ記憶領域の少なくとも一部を印字データ記憶領域に変更する必要が生じた場合に、印字データ記憶領域に変更すべき他データ記憶領域にデータが記憶されているならばそのデータが消失する旨の警告を発せられ、これに対して前記禁止指定の解除の確定指示がなされたことに応じて、前記他データ記憶領域の少なくとも一部が前記印字データ記憶領域に変更される。従って、印字データ記憶領域に変更すべき他データ記憶領域にデータが記憶されているときに、これまで使用候補通信モードとされていた通信モードよりも高い解像度を対象とした通信モードに対する禁止指定の解除が誤って指示されたとしても、ユーザが気付かずにデータが消去されてしまうことが防止される。
【００１３】
また本発明は、これまで使用候補通信モードとされていた通信モードよりも高い解像度を対象とした通信モードに対する禁止指定の解除が指示され、その通信モードで伝送される画像の解像度の画像データを１ページ分記憶する容量の記憶領域を印字データ記憶領域に割り当てるべく他データ記憶領域の少なくとも一部を印字データ記憶領域に変更する必要が生じた場合に、印字データ記憶領域に変更すべき他データ記憶領域にデータが記憶されており、かつそのデータが当該領域から出力可能であれば、そのデータを当該領域から出力させる例えばデータ移動制御手段などの出力制御手段を備えるとともに、メモリ分割制御手段は、出力制御手段によりデータの出力がなされたのちに当該領域を印字データ記憶領域に変更するようにした。
【００１４】
このような手段を講じたことにより、他データ記憶領域の少なくとも一部を印字データ記憶領域に変更する必要が生じた場合に、印字データ記憶領域に変更すべき他データ記憶領域にデータが記憶されており、かつそのデータが当該領域から出力可能であれば、そのデータが当該領域から出力され、こののちに当該領域が印字データ記憶領域に変更される。従って、印字データ記憶領域に変更すべき他データ記憶領域に記憶されたデータが可能な限り保護される。
【００１５】
【発明の実施の形態】
以下、図面を参照して本発明の一実施形態につき説明する。
【００１６】
図１は本実施形態に係るファクシミリ装置の要部構成を示す機能ブロック図である。
【００１７】
この図に示すように本実施形態のファクシミリ装置は、ＣＰＵ１、ＲＯＭ２、ＲＡＭ３、符号化・復号化部４、操作部５、表示部６、スキャナ７、プリンタ８、モデム９およびＮＣＵ（網制御回路）１０を有してなり、これらの各部はシステムバス１１を介して互いに接続されている。
【００１８】
ＣＰＵ１は、ＲＯＭ２に格納された制御プログラムに基づいて本ファクシミリ装置の各部を総括制御するための制御処理を行うことでファクシミリ装置としての動作を実現するものである。
【００１９】
ＲＯＭ２は、ＣＰＵ１の制御プログラム等を記憶したものである。
【００２０】
ＲＡＭ３は、ＣＰＵ１が各種の処理を行う上で必要となる各種の情報を記憶しておくためのものである。このＲＡＭ３の一部領域は、受信した画像データや送信待ちの画像データを一時的に記憶しておくための画像蓄積メモリや、プリンタ８に印字させる印字データを一時的に記憶しておくためのページバッファとして使用される。
【００２１】
符号化・復号化部４は、画像データに対して冗長度圧縮のための符号化処理を施すとともに、冗長度圧縮のための符号化がなされている画像データの復号を行うものである。
【００２２】
操作部５は、例えばキースイッチ群などからなり、ユーザによるＣＰＵ１に対する各種の指示入力を受け付けるためのものである。
【００２３】
表示部６は、例えば液晶表示器などを用いてなり、ユーザに対して通知すべき各種の情報をＣＰＵ１の制御の下に可視表示するものである。
【００２４】
スキャナ７は、ラインイメージセンサ、画像処理回路および原稿搬送機構などを有し、送信原稿の読取りを行って、その送信原稿を示す画像データを生成するものである。このスキャナ７は、主走査８ドット／ｍｍ、副走査３．８５ライン／ｍｍの解像度、主走査８ドット／ｍｍ、副走査７．７ライン／ｍｍの解像度、主走査８ドット／ｍｍ、副走査１５．４ライン／ｍｍの解像度、あるいは主走査１６ドット／ｍｍ、副走査１５．４ライン／ｍｍの解像度の画像をそれぞれ生成する能力を有する。
【００２５】
プリンタ８は、例えばレーザプリンタなどのページプリンタを用いてなり、ＲＡＭ３に記憶された１ページ分の印字データが示す画像を記録用紙に対して印字するものである。このプリンタ８は、主走査８ドット／ｍｍ、副走査３．８５ライン／ｍｍの解像度、主走査８ドット／ｍｍ、副走査７．７ライン／ｍｍの解像度、主走査８ドット／ｍｍ、副走査１５．４ライン／ｍｍの解像度、あるいは主走査１６ドット／ｍｍ、副走査１５．４ライン／ｍｍの解像度の画像をそれぞれ印字する能力を有する。
【００２６】
モデム９は、通信回線Ｃを介して到来したファクシミリ伝送データを復調して画像データを再生するものであり、この再生した画像データをＣＰＵ１の制御の下にシステムバス１１へと出力する。またモデム９は、ＣＰＵ１の制御の下にＲＡＭ３から与えられる画像データを変調してファクシミリ伝送データを生成するものであり、この生成したファクシミリ伝送データをＮＣＵ１０を介して通信回線Ｃへと送出する。
【００２７】
ＮＣＵ１０は、通信回線Ｃを介して到来した信号を取出してモデム９に与えるとともに、モデム９から与えられる信号を通信回線Ｃへと送出するものである。またＮＣＵ１０は、直流ループの閉成などの周知の網制御処理を行うものである。
【００２８】
ところで、ＣＰＵ１がＲＯＭ２に格納された制御プログラムに基づいて動作することで実現される制御手段としては、ファクシミリ装置における周知の一般的なものに加えて、使用候補モード設定手段１ａ、メモリ分割制御手段１ｂ、データ移動制御手段１ｃおよびデータ消失警告手段１ｄを有している。
【００２９】
このうち使用候補モード設定手段１ａは、使用可能な通信モード（スタンダード、ファイン、セミスーパーファイン、スーパーファイン）のうちで実際に通信に用いるモードの候補をユーザの指定に基づいて設定するものである。メモリ分割制御手段１ｂは、使用候補モード設定手段１ａによる設定に応じて、ＲＡＭ３において画像蓄積メモリおよびページバッファとして使用する領域の割当てを行うものである。データ移動制御手段１ｃは、前記メモリ分割制御手段１ｂが画像蓄積メモリの一部をページバッファとする変更割当てを行う際に、変更される領域に記憶されていたデータを可能ならば蓄積メモリにおける他の領域へ移動するための処理を行うものである。そしてデータ消失警告手段１ｄは、データ移動制御手段１ｃによるデータの移動を行うことができないときに、当該データが消失してしまう旨の警告をユーザに対して発する処理を行うものである。
【００３０】
次に以上のように構成されたファクシミリ装置の動作につき説明する。なおこのファクシミリ装置は、ファクシミリ通信に関する動作などの基本的な動作は周知の一般的なファクシミリ装置と同様であるので説明を省略し、ここでは操作部５での所定の指示操作によって解像度制限の変更指定がなされたことに応じて行う処理について詳しく説明する。
【００３１】
まず、ＲＡＭ３にはページバッファとして専用される領域Ａ、ページバッファおよび画像蓄積メモリとして共用される領域Ｂおよび画像蓄積メモリとして専用される領域Ｃとがそれぞれ設定されており、スーパーファインモードが禁止されていない通常時には、領域Ａと領域Ｂとがページバッファに、また領域Ｃが画像蓄積メモリにそれぞれ設定されるものとなっている。領域Ａおよび領域Ｂは、本ファクシミリ装置が取り扱う最大サイズの画像をセミスーパーファインモード時の解像度で示した際の印字データのデータサイズと同じ容量をそれぞれ有する。すなわち、例えば画像の最大サイズがＡ４（２１０ｍｍ×２９７ｍｍ）である場合、領域Ａおよび領域Ｂはそれぞれ９６０４９８バイトの容量を有する。
【００３２】
さて解像度制限の変更指定がなされた場合にＣＰＵ１は、まずその指定の内容を判定する（図２中のステップＳＴ１）。そして指定内容がスーパーファインモードの使用禁止であれば、ＣＰＵ１はスーパーファインモードを使用候補モードから除外する（ステップＳＴ２）。
【００３３】
ここで、スーパーファインモードを使用候補モードに設定された通常状態にあるときには図３に示すように、領域Ａおよび領域Ｂがページバッファに、また領域Ｃのみが画像蓄積メモリにそれぞれ設定されている。かくしてページバッファとしては、１９２０９９６バイト（９６０４９８×２バイト）の容量が確保され、スーパーファインモード時の解像度で示した際の印字データのデータサイズと同じ容量を有する。そしてこの状態から上述のようにスーパーファインモードの使用禁止が指定され、これに応じてスーパーファインモードを使用候補モードから除外したならば、ＣＰＵ１は図４に示すように領域Ｂを画像蓄積メモリに変更し、領域Ａのみをページバッファに設定する（ステップＳＴ３）。
【００３４】
一方、以上のようにしてスーパーファインモードの使用が禁止された状態からスーパーファインモードの使用禁止を解除するべく解像度制限の変更指定がなされた場合、ＣＰＵ１は領域Ｂにデータが記憶されているか否かをチェックする（ステップＳＴ４）。そして領域Ｂにデータが記憶されている場合のは、ＣＰＵ１は続いてそのデータを記憶することができる空きが領域Ｃに存在しているか否かの判断を行い（ステップＳＴ５）、領域Ｃに空きがあるならばこの空き領域に、領域Ｂに記憶されているデータを移動しておく（ステップＳＴ６）。
【００３５】
これに対して、領域Ｂにデータが記憶されているものの、そのデータを記憶することができる空き領域が領域Ｃにない場合には、ＣＰＵ１はこのままスーパーファインモードの使用禁止を解除するとデータが消失することを警告するための例えば図５に示すような警告表示を表示部６に行わせる。この状態でＣＰＵ１は、スーパーファインモードの使用禁止の解除を実行するのか否かの確認指定を受付け（ステップＳＴ８）、その指定の内容を判定する（ステップＳＴ９）。そして中止が指定されたならば、ＣＰＵ１はそのまま処理を終了し、スーパーファインモードを使用禁止としたままとする。
【００３６】
さて、
（１）  ステップＳＴ４にて領域Ｂにデータが記憶されていなかった場合。
【００３７】
（２）  ステップＳＴ６におけるデータの移動が完了した場合。
【００３８】
（３）  ステップＳＴ９にて継続が指定されていると判定した場合。
【００３９】
のいずれかであったときにＣＰＵ１は、スーパーファインモードを使用候補モードに設定し（ステップＳＴ１０）、さらに図３に示すように、領域Ａおよび領域Ｂをページバッファに、また領域Ｃのみを画像蓄積メモリにそれぞれ設定する（ステップＳＴ１１）。
【００４０】
なお以上のＣＰＵ１の処理のうち、ステップＳＴ１、ステップＳＴ２およびステップＳＴ１０の処理は、使用候補モード設定手段１ａによりなされる。ステップＳＴ３、ステップＳＴ８、ステップＳＴ９およびステップＳＴ１１の処理は、メモリ分割制御手段１ｂによりなされる。ステップＳＴ４乃至ステップＳＴ６の処理は、データ移動制御手段１ｃによりなされる。そしてステップＳＴ７の処理は、データ消失警告手段１ｄによりなされる。
【００４１】
以上のように本実施形態によれば、スーパーファインモードの使用禁止が指定され、これに応じてスーパーファインモードを使用候補モードから除外したならば、領域Ｂを画像蓄積メモリに変更し、領域Ａのみをページバッファに設定する。スーパーファインモードを使用候補モードから除外しているときには、使用候補モードのうちで最も解像度が高いモードはファインモードであり、そのモードで取り扱われる画像の印字データのデータ量はスーパーファインモードのときの１／２（９６０４９８バイト）である。従って、この状態でページバッファに記憶すべき印字データのデータ量は領域Ａの容量を上回ることはなく、当該印字データの全てを確実に記憶することができる。そして、画像蓄積メモリとしては領域Ｃに領域Ｂを加えた大きな容量を確保することができ、送受信する画像データをより多く記憶することができる。この結果、ＲＡＭ３を無駄なく使用することができるようになる。
【００４２】
また本実施形態によれば、スーパーファインモードの使用禁止を解除するべくページバッファを領域Ｂまで拡大する場合に、この領域Ｂにデータが記憶されており、かつそのデータを記憶することができるだけの空き領域が領域Ｃにあるならば、領域Ｂに記憶されているデータを領域Ｃの空き領域に移動する。領域Ａおよび領域Ｂをページバッファに設定した場合、印字データを記憶する必要が生じた場合には領域Ｂに記憶されていたデータは消失することになるが、該当データを領域Ｃの空き領域に移動しておくことによって、上述のようなデータの消失が生じることを防止することが可能となる。
【００４３】
また本実施形態によれば、領域Ｂに記憶されているデータを移動することができるだけの空き領域が領域Ｃになく、データの保護を図ることができない場合には、その旨の警告をユーザに対して行って、処理を継続するか否かの確認を行う。そして処理を継続するか否かのユーザの指定に従い、処理を継続または中止する。この結果、データが消失することを承知した上でスーパーファインモードの使用禁止を解除することを優先させるか、データの保護を優先させるかをユーザに選択させることができ、ユーザが気付かないうちにデータが消失してしまうようなことが防止できる。
【００４４】
なお本発明は上記実施形態に限定されるものではない。例えば上記実施形態では、ページバッファを領域Ｂまで拡大する際に、この領域Ｂにデータが記憶されていた場合には、当該データを領域Ｃの空き領域に移動するか、あるいは警告表示を行うようにしているが、これらの処置はいずれか一方のみを行うようにしたり、あるいはいずれも行わないようにしても良い。
【００４５】
また上記実施例では、ページバッファを領域Ｂまで拡大する際に、この領域Ｂに記憶されているデータを、領域Ｃの空き領域に移動することで領域Ｂから出力するものとしているが、例えばプリンタ８による印字出力や、通信回線Ｃを介しての他の端末への送信出力などの別の手法によって領域Ｂから出力するようにしても良い。
【００４６】
また上記実施形態では、データが消失してしまう旨の警告は表示部６での文字メッセージの可視表示により行うものとしているが、ＬＥＤなどのランプの点灯や点滅、あるいはブザー音や音声メッセージの可聴出力などといった方法によっても良いし、それらの組み合わせとしても良い。
【００４７】
また、１ページ分の印字データは、実際の画像部分を示すデータに限らず、例えば送信局情報を示すＴＴＩ（Ｔｒａｎｓｍｉｔ  Ｔｅｒｍｉｎａｌ  Ｉｄｅｎｔｉｆｉｃａｔｉｏｎ）データ編集用エリアなどを含むものとしても良い。
【００４８】
また上記実施形態では、主走査８ドット／ｍｍ、副走査３．８５ライン／ｍｍの解像度、主走査８ドット／ｍｍ、副走査７．７ライン／ｍｍの解像度、主走査８ドット／ｍｍ、副走査１５．４ライン／ｍｍの解像度、あるいは主走査１６ドット／ｍｍ、副走査１５．４ライン／ｍｍの解像度の画像をそれぞれ伝送するスタンダードモード、ファインモード、セミスーパーファインモードおよびスーパーファインモードをそれぞれ有し、スーパーファインモードの使用を禁止することができるファクシミリ装置を例示しているが、複数のモードを選択的に使用禁止とすることができるファクシミリ装置にも本発明を適用することができる。また、解像度についても上記のものには限定されず、任意であって良い。
【００４９】
また上記実施形態では、領域Ｂはページバッファのほかに画像蓄積メモリとして使用するものとしているが、画像蓄積メモリ以外のメモリとして使用するようにしても良い。
【００５０】
このほか、本発明の要旨を逸脱しない範囲で種々の変形実施が可能である。
【００５１】
【発明の効果】
本発明によれば、複数種類の解像度のそれぞれで画像印字を行う機能を有した印字手段と、この印字手段が画像印字に用いる印字データを１ページ分記憶するためのものであり、前記複数種類の解像度のうちの最高解像度の印字データを１ページ分記憶する容量を有したメモリ手段と、前記複数の通信モードのうちで所定の禁止指定がなされた通信モードを除く通信モードを使用候補通信モードとする使用通信モード制限手段と、前記メモリ手段の記憶領域のうち、前記使用通信モード制限手段により決められた使用候補通信モードのそれぞれで伝送される画像の解像度のうちの最高解像度の画像データを１ページ分記憶する容量の記憶領域を印字データ記憶領域に割り当てるとともに、前記メモリ手段の記憶領域のうちの前記印字データ記憶領域以外の記憶領域を前記印字データ以外のデータを記憶するための他データ記憶領域に割り当てるメモリ分割制御手段とを備えたので、高解像度での通信モードの使用が禁止されているか否かに拘らずに、常にメモリを効率良く使用することができるファクシミリ装置となる。
【００５２】
また本発明によればさらに、これまで使用候補通信モードとされていた通信モードよりも高い解像度を対象とした通信モードに対する禁止指定の解除が指示され、その通信モードで伝送される画像の解像度の画像データを１ページ分記憶する容量の記憶領域を印字データ記憶領域に割り当てるべく他データ記憶領域の少なくとも一部を印字データ記憶領域に変更する必要が生じた場合に、印字データ記憶領域に変更すべき他データ記憶領域にデータが記憶されているならばそのデータが消失する旨の警告を発する警告手段を備えるとともに、メモリ分割制御手段は、前記警告手段が警告を発したのちに前記禁止指定の解除の確定指示がなされたことに応じて、前記他データ記憶領域の少なくとも一部を前記印字データ記憶領域に変更するようにしたので、印字データ記憶領域に変更すべき他データ記憶領域にデータが記憶されているときに、これまで使用候補通信モードとされていた通信モードよりも高い解像度を対象とした通信モードに対する禁止指定の解除が誤って指示されたとしても、ユーザが気付かずにデータが消去されてしまうことを防止することができるファクシミリ装置となる。
【００５３】
また本発明によればさらに、これまで使用候補通信モードとされていた通信モードよりも高い解像度を対象とした通信モードに対する禁止指定の解除が指示され、その通信モードで伝送される画像の解像度の画像データを１ページ分記憶する容量の記憶領域を印字データ記憶領域に割り当てるべく他データ記憶領域の少なくとも一部を印字データ記憶領域に変更する必要が生じた場合に、印字データ記憶領域に変更すべき他データ記憶領域にデータが記憶されており、かつそのデータが当該領域から出力可能であれば、そのデータを当該領域から出力させる出力制御手段を備えるとともに、メモリ分割制御手段は、出力制御手段によりデータの出力がなされたのちに当該領域を印字データ記憶領域に変更するようにしたので、印字データ記憶領域に変更すべき他データ記憶領域に記憶されたデータを可能な限り保護することができるファクシミリ装置となる。
【図面の簡単な説明】
【図１】本発明の一実施形態に係るファクシミリ装置の要部構成を示す機能ブロック図。
【図２】解像度制限の変更指定がなされた際のＣＰＵ１の処理手順を示すフローチャート。
【図３】スーパーファインモードが使用候補モードに設定された通常状態にあるときにおけるページバッファおよび画像蓄積メモリの割当て状況を模式的に示す図。
【図４】スーパーファインモードを使用候補モードから除外した状態にあるときにおけるページバッファおよび画像蓄積メモリの割当て状況を模式的に示す図。
【図５】警告表示の一例を示す図。
【符号の説明】
１…ＣＰＵ
１ａ…使用候補モード設定手段
１ｂ…メモリ分割制御手段
１ｃ…データ移動制御手段
１ｄ…データ消失警告手段
２…ＲＯＭ
３…ＲＡＭ
４…符号化・復号化部
５…操作部
６…表示部
７…スキャナ
８…プリンタ
９…モデム
１０…ＮＣＵ（網制御回路）
１１…システムバス
【図１】
0003625358.tif 000002
【図２】
0003625358.tif 000003
【図３】
0003625358.tif 000004
【図４】
0003625358.tif 000005
【図５】
0003625358.tif 000006